(57)【要約】【課題】電源がなくとも表示が可能な筐体および携帯端末を提供する。【解決手段】筐体の表面に、表示の変更が可能でかつ変更後は電源がなくても表示可能な外装用表示装置１０６を備えたことを特徴とする。【選択図】  図１
2004192497.tif 000002
【特許請求の範囲】
【請求項１】
筐体の表面に、表示の変更が可能でかつ変更後は電源がなくても表示可能な外装用表示装置を備えたことを特徴とする筐体。
【請求項２】
筐体の表面に、設定時刻で、表示の自動的な変更が可能でかつ電源がなくても表示可能な外装用表示装置を備えたことを特徴とする筐体。
【請求項３】
筐体の表面に、外部信号の受信に応答して、予め設定済の表示に自動的な変更が可能でかつ電源がなくても表示可能な外装用表示装置を備えたことを特徴とする筐体。
【請求項４】
筐体の表面に、外部信号の受信に応答して、予め設定済の表示に自動的な変更が可能で受信終了時には受信前の表示に自動的な変更が可能でかつ電源がなくても表示可能な外装用表示装置を備えたことを特徴とする筐体。
【請求項５】
筐体の表面に、外部信号の受信に応答して、予め設定済の表示に自動的な変更が可能で受信終了時には該終了の時刻における設定表示に自動的な変更が可能でかつ電源がなくても表示可能な外装用表示装置を備えたことを特徴とする筐体。
【請求項６】
請求項１から５のうちいずれか一つの項記載の筺体において、前記外装用表示装置が電源がなくても表示可能な電子ペーパーであることを特徴とする筺体。
【請求項７】
請求項１から６のうちいずれか一つの項記載の筺体を用いたことを特徴とする携帯端末。
【発明の詳細な説明】
【０００１】
【発明の属する技術分野】
本発明は、表示の変更が可能な筐体および携帯端末に関する。
【０００２】
【従来の技術】
現在の携帯電話は、通常の画面（待ち受け画面）をユーザの好みの画像に設定できるようになっており、同じデザインの携帯電話の中でも、自分のオリジナリティを携帯電話で表現できるようになっている。最近の携帯端末では、筐体の表面にＬＣＤを備え、該ＬＣＤを、色または模様あるいは組み合わせにより表示することにより、筐体の色または模様などのデザインを、ユーザの好みに変更できるようにしている。（例えば、特許文献１参照。）
また、本発明の実施の形態で実施する電子ペーパーについての説明が、文献に記載されている。（例えば、非特許文献１、非特許文献２参照。）
【０００３】
【特許文献１】
特開２００１−１４７７３９号公報（要約書、図１）
【非特許文献１】
「日経パソコン」、２００２．３．１８、ｐ２２７
【非特許文献２】
「日経情報ストラテジー」、２００２年６月、ｐ１７
【０００４】
【発明が解決しようとする課題】
しかしながら、上記の最近の携帯端末（例えば、特許文献１参照。）のような筐体表面にＬＣＤを具備した携帯端末では、簡単に、携帯端末のデザインを変更することができるが、ＬＣＤは電源がないと表示ができないデバイスであるため、デザインを変更後に、携帯端末のバッテリーがなくなると、せっかく変更したデザインが表示できなくなるという課題がある。また、表示の変更は、ユーザの指名入力により行う。ユーザが指名入力により変更するのではなく、表示の自動的な変更ができるとより便利である。
【０００５】
本発明の目的は、電源がなくとも表示が可能な筐体および携帯端末を提供することにある。
【０００６】
本発明の他の目的は、表示の変更を外部信号の受信時に自動的に行い変更後は電源がなくとも表示が可能な筐体および携帯端末を提供することにある。
【０００７】
【課題を解決するための手段】
本発明は、筐体の表面に、表示の変更が可能でかつ変更後は電源がなくても表示可能な外装用表示装置を備えたことを特徴とする筐体である。
【０００８】
本発明は、筐体の表面に、設定時刻で、表示の自動的な変更が可能でかつ電源がなくても表示可能な外装用表示装置を備えたことを特徴とする筐体である。
【０００９】
本発明は、筐体の表面に、外部信号の受信に応答して、予め設定済の表示に自動的な変更が可能でかつ電源がなくても表示可能な外装用表示装置を備えたことを特徴とする筐体である。
【００１０】
本発明は、筐体の表面に、外部信号の受信に応答して、予め設定済の表示に自動的な変更が可能で受信終了時には受信前
の表示に自動的な変更が可能でかつ電源がなくても表示可能な外装用表示装置を備えたことを特徴とする筐体である。
【００１１】
本発明は、筐体の表面に、外部信号の受信に応答して、予め設定済の表示に自動的な変更が可能で受信終了時には該終了の時刻における設定表示に自動的な変更が可能でかつ電源がなくても表示可能な外装用表示装置を備えたことを特徴とする筐体である。
【００１２】
本発明は、上記記載のうちいずれか一つの筺体において、前記外装用表示装置が電源がなくても表示可能な電子ペーパーであることを特徴とする筺体である。
【００１３】
本発明は、上記記載のうちいずれか一つの筺体を用いたことを特徴とする携帯端末である。
【００１４】
【発明の実施の形態】
以下、本発明による実施の形態を図を用いて説明する。
【００１５】
図１は本発明による実施の形態の筐体を有する携帯端末の概要を説明する図である。図２は図１の携帯端末の外装を示す側面図である。
【００１６】
図１中１００は携帯端末である。携帯端末１００はユーザが携帯して使用する機器であり、例えば、携帯電話やＰＤＡ(Personal Digital Assistants)である。携帯端末１００の外装は、図２のように、外装用表示装置１０６及び透明もしくは半透明の保護カバー１０７によって構成され、外装用表示装置１０６に表示される表示画像を、ソフトウェアにより制御することができるようになっている。外装用表示装置１０６は、電源がなくても長時間表示可能な電子ペーパーである（例えば、非特許文献１、非特許文献２参照）。保護カバー１０７はプラスティックである。
【００１７】
次に、本発明による第１の実施の形態について説明する。もしユーザが携帯端末１００の外装を変更したい場合、ユーザはまず携帯端末１００の入力装置１０５での操作より、メイン表示装置１０４を、図３のような外装設定画面１０４−１へ遷移させる。外装設定画面１０４−１に一覧表示された画像から、設定したい画像を選び、画像を設定すると、外装用表示装置１０６に、選択された画像が映し出される。以上の操作より、ユーザはＰＣ（パソコン）の壁紙を変更するのと同じように、表示させたい画像を選択するだけで、図１の１００−１や１００−２のように、自由に携帯端末１００の外装のデザインを変更することができる。また、もし、携帯端末１００が図１の１００−３のように折り畳み型の携帯電話であれば、１００−４のように携帯端末のメイン表示画面の裏側の筐体の外装のデザインを変更することができる。なお、携帯端末１００に表示させたい画像のデータは、ファイルとして、携帯端末１００が有するＲＡＭもしくはＲＯＭに追加したり、削除することができる機能を追加することで、ユーザは自由に設定時に表示される画像のリストを変更することができる。
【００１８】
次に、本発明による第２の実施の形態の筐体を有する携帯端末について説明する。本実施の形態は、携帯端末１００に現在時刻取得機能が備わっている場合であり、この場合は、図４のような外装スケジュール設定画面１０４−２から、外装スケジュール設定処理によって１日の画像表示スケジュールを設定し、指定した時間になると自動的に携帯端末の画像を変更することができる。例えば、図４のように、０：００〜８：００，２０：００〜２４：００は御影石（図１中１００−１のような模様）、８：００〜２０：００はスケッチ（図１中１００−２のような模様）に設定したとすると、図５のようなスケジュール管理データ２００が、携帯端末１００が有するＲＡＭもしくはＲＯＭに格納され、画像を変更する時刻になったときに、外装用表示装置１０６に表示される画像を、図６のように画像変更する画像変更処理３００を実行するタイマー処理が実行される。これにより、図６のように、８：００になると、今まで図１中１００−１のような外見だった携帯端末１００は、図１中１００−２のような外見の携帯端末になり、２０：００を過ぎると、携帯端末１００は図１の１００−１のような外見の携帯端末になる。このようにして時間によって携帯端末の外見を自動的に変更させることができる。
【００１９】
次に、本発明による第３の実施の形態の筐体を有する携帯端末について説明する。本実施の形態は、携帯端末１００に携帯電話の着信が発生する場合であり、着信の処理中だけ通常とは別の外見に変更することができる。ここでは、携帯端末１００が携帯電話であり、着信の処理が実行されている最中に携帯端末１００の外見を変える場合について説明する。ユーザは図７のような着信時外装設定画面１０４−２から、着信時に表示させる画像を設定することで、携帯端末１００の外装が着信時のみ設定された外装にさせることができる。例えば、通常の外見は図１中１００−１であるが、ユーザが着信時の外装設定でスケッチ（図１中１００−２のような外見の画像）と設定した場合、図８のように、図１中１００−１のような外見だった携帯端末１００に着信があると、携帯端末１００の外見は図１中１００−２のような外見になり、携帯端末の外見で着信があることが識別できるようになる。
【００２０】
以上のように、外装用表示装置１０６にユーザの設定した画像を表示させることにより、携帯端末１００の外見を、携帯端末１００の部品を交換することなく、ユーザの好みに変更ができる。
【００２１】
次に、本発明による実施の形態の筐体を有する携帯端末１００のハードウェア構成を図９に、データ管理情報リストを図１０に示し、以下、図９，図１０を用いて説明する。
【００２２】
図９中の１０１はＣＰＵ（Central Processing Unit）であり、周辺部の制御処理や画像の登録処理といった各種プログラムの実行を行う。１０２はＲＯＭ（Read Only Memory）であり、周辺部の制御や画像データのデコード処理に関する各種プログラムやデータ及びあらかじめ格納されている画像データを記憶する。１０３はＲＡＭ（Random Access Memory）であり、周辺部の制御処理や画像の登録処理といった各種プログラムをＲＯＭからロードして実行したり、データを記憶したりするのに使用する。１０４はメイン表示装置であり、携帯端末１００に表示させる画像を設定するための設定画面を表示するのに使用される。メイン表示装置１０４は例えばＬＣＤ（Liquid Crystal Display）である。１０５は入力装置であり、表示させる画像の設定で発生する操作に使用される。入力装置１０５は例えばボタンやジョイスティックである。１０６は外装用表示装置であり、携帯端末１００の外見となる画像を表示するのに使用する。外装用表示装置１０６は例えば電源がなくても表示可能な電子ペーパーである。
【００２３】
また、外装スケジュール設定が可能な本発明による実施の形態の筐体を有する携帯端末の場合は、図１０の他のハードウェア構成のように、現在時刻取得装置１０７が追加されており、現在時刻取得装置１０７を用いて現在時刻の取得し、取得した現在時刻から、予め設定された画像の表示スケジュールに従って、現在時刻における設定画像表示に変換するようなタイマー処理等に用いられる。
【００２４】
次に、携帯端末１００が保持するデータ管理情報リストについて、図１１を用いて説明する。図９と図１０の携帯端末１００が有するＲＡＭ１０３もしくはＲＯＭ１０２に格納されているデータを管理するために使用されるデータ管理情報リスト３００のレコードは、各々のデータを識別するために一意に割り振られた管理ＩＤ３０１と、データの格納場所を表すファイルＩＤ３０２と、格納しているデータの種類を表すデータタイプ３０３と、格納しているデータの一覧表示を行う際に表示される文字列を表すタイトル３０４の４つから構成されている。このレコードを格納しているデータ分だけリストとして保持し、データの一覧表示を行なったり、データを読み出す際に用いられる。
【００２５】
次に、本発明による実施の形態の筐体を有する携帯端末の外装用表示装置１０６に対する外装設定登録処理を図１２に、画像リストを図１３に示し、以下、図１２，図１３を用いて説明する。
【００２６】
図９と図１０の携帯端末１００が有する入力装置１０５からの操作によって外装設定登録処理５００が起動すると、まず、ＲＯＭ１０３もしくはＲＡＭ１０２に格納されている図１１のデータ管理情報リスト３００から、データタイプが画像を表すデータタイプと一致するレコードを全て抽出し、図１３のような画像リスト６００として生成する。そして、画像リスト６００から、タイトルだけのリストを生成し、そのタイトルリストをメイン表示装置１０４に図３のような外装設定画面１０４−１として表示する（ステップ５０１）。次に、ユーザは入力装置１０５を使って、設定する画像を選択する（ステップ５０２）。ユーザが選択した画像は、現在設定されている画像として、設定した画像に対応する管理ＩＤをＲＡＭ１０３に保存する（ステップ５０３）。最後に、新たに設定された画像のファイルＩＤ３０２を用いてデータを読み出し、外装用表示装置１０６に表示させる（ステップ５０４）。以上のような処理で画像が設定される。
【００２７】
次に、携帯端末１００の外装用表示装置１０６に表示させる画像の表示スケジュールを格納するスケジュール管理情報２００について、図５を用いて説明する。
【００２８】
表示させる画像を時間によって変える際に用いられるスケジュール管理情報２００は、図９と図１０の携帯端末１００が有するＲＯＭ１０３もしくはＲＡＭ１０２に格納されており、画像の表示を開始する開始時刻２０１と、画像の表示を終了する終了時刻２０２と、表示させる画像のファイルＩＤ２０３から構成された１つもしくは複数のレコードから成り、０：００から２４：００までの表示させる時間スケジュールを格納している。
【００２９】
次に、本発明による実施の形態の筐体を有する携帯端末の外装スケジュール設定登録処理について図１４を用いて説明する。
【００３０】
図９と図１０の携帯端末１００が有する入力装置１０５からの操作によって外装スケジュール設定登録処理７００が起動されると、まず、既に登録されているスケジュール管理情報２００を読み出し、メイン表示装置１０４に、画像として表示されるデータのタイトルと、表示している時間帯について設定されている情報を全て表示する（ステップ７０１）。次に、ユーザが入力装置１０５を用いて新しいスケジュールと、表示させる画像を入力する（ステップ７０２）。そして、ステップ５０２で入力されたスケジュールと画像を元にスケジュール管理情報を更新する（ステップ７０３）。最後に、更新されたスケジュール管理情報を元に画像を切り替える時間を算出し、画像を切り替える時間になったことを知らせるためのタイマーを設定し、現在設定されている画像と、新しいスケジュールで表示されるべき画像とが異なる場合のみ、表示されるべき画像を外装用表示画面１０６に表示させる（ステップ７０４）。以上の手続きにより、外装表示装置１０６に表示させる画像のスケジュール設定を行う。
【００３１】
次に、本発明による実施の形態の筐体を有する携帯端末の画像変更処理について、図１５を用いて説明する。
【００３２】
外装スケジュール登録処理において設定されたタイマーから画像変更イベントを受け取ると、図１５のような画像変更処理８００が起動する。
【００３３】
画像変更処理８００では、まず、既に登録されているスケジュール管理情報を読み出す（ステップ８０１）。次に、ステップ８０１で読み出したスケジュール管理情報の中から、現在時刻で表示させなければならない画像のファイルＩＤを抽出する。（ステップ８０２）。そして、ステップ８０２で抽出したファイルＩＤから表示させる画像のデータをＲＡＭ１０３に読み出し展開する（ステップ８０３）。最後に、ステップ８０３でＲＡＭ１０３上に展開した画像のデータを外装用表示装置１０６に表示させる（ステップ８０４）。以上の手続きにより、設定されたスケジュールに従って画像を変更していく。
【００３４】
次に、本発明による実施の形態の筐体を有する携帯端末の着信画像表示処理について、図１６を用いて説明する。
【００３５】
携帯端末１００に着信があると、図１６のような着信画像表示処理９００−１が起動する。まず、ＲＡＭ１０３に格納されている着信時に画像の管理ＩＤを読み出し、着信時の画像が設定されているかどうかを判定し（ステップ９０１）、着信時の画像が未設定であれば着信画像表示処理は終了する。もし、着信時の画像が設定されているならば、ステップ９０１で読み出した画像の管理ＩＤと一致する画像の管理ＩＤをデータ管理情報リストから検索し（ステップ９０２）、着信時の画像の管理ＩＤが見つかったかどうかを判定する（ステップ９０３）。もし、ステップ９０３で画像の管理ＩＤが見つからなかった場合、本着信画像表示処理は終了し、見つかった場合は次のステップ９０４へ進む。
【００３６】
次に、ステップ９０３で見つかった場合、管理ＩＤが一致するレコードから、画像のファイルＩＤを抽出し、ファイルＩＤを元に表示させる画像のデータをＲＡＭ１０３上に読み出し展開する（ステップ９０４）。次に、ステップ９０４で展開した画像のデータを外装用表示装置１０６に表示させる（ステップ９０５）。外装用表示装置１０６に表示させた後、着信が終了したことを知らせるイベントを受信するまで待機する（ステップ９０６）。
【００３７】
着信が終了したことを知らせるイベントを受信すると、登録されている画像の管理ＩＤを読み出し、この管理ＩＤから着信前に表示されていた画像のデータのＲＡＭ１０３への読み出しを行う（ステップ９０７−１）。最後に、ステップ９０７−１で読み出した表示させる画像のデータを外装用表示装置１０６に表示させる（ステップ９０８）。以上の手続きにより、着信時のみ携帯端末１００の外見を変える着信画像表示処理を行う。
【００３８】
次に、本発明による実施の形態の筐体を有する携帯端末の他の着信画像表示処理について、図１７を用いて説明する。
【００３９】
携帯端末１００に着信があると、図１７のような着信画像表示処理９００−２が起動する。ステップ９０１からステップ９０６までは図１６と同じである。本着信画像表示処理９００−２は、スケジュール設定に対応した処理を行うもので、ステップ９０６で、着信が終了したことを知らせるイベントを受信すると、登録されているスケジュール管理情報を読み出し、読み出したスケジュール管理情報から現在時刻で表示されるべき画像のデータをＲＡＭ１０３に読み出す（ステップ９０７−２）。最後に、ステップ９０７−２で読み出した表示させる画像のデータを外装用表示装置１０６に表示させる（ステップ９０８）。以上の手続きにより、着信時のみ携帯端末１００の外見を変える着信画像表示処理を行う。
【００４０】
このように、この実施の形態による携帯端末によれば、ユーザが設定した画像を外装用表示装置に表示させることで、ソフトウェアからの制御により携帯端末の外見デザインを変更できるようになる。これにより、ユーザは携帯端末の部品を交換することなく、設定画面からの表示させたい画像を選択するだけという簡単な操作により携帯端末の外見デザインが変更できるため、ユーザの利便性が向上する。さらに、携帯端末の筐体表面には、制御装置より表示が変更可能でかつ電源がなくても長時間表示可能な外装用表示装置を備えていることで、バッテリーが無くなっても設定された外見デザインが表示し続けられるためユーザの利便性が向上するという効果が得られる。
【００４１】
【発明の効果】
本発明によれば、電源がなくとも表示が可能な筐体および携帯端末を得ることができる。また本発明によれば、表示の変更を外部信号の受信時に自動的に行い変更後は電源がなくとも表示が可能な筐体および携帯端末を得ることができる。
【図面の簡単な説明】
【図１】本発明による実施の形態の筐体を有する携帯端末の概要を説明する図である。
【図２】図１の携帯端末の外装を示す側面図である。
【図３】本発明による第１の実施の形態で、図１の外装用表示装置に表示する外装設定画面の例を示した図である。
【図４】本発明による第２の実施の形態で、図１の外装用表示装置に表示する外装スケジュール設定画面の例を示した図である。
【図５】本発明による第２の実施の形態の筐体を有する携帯端末が有するＲＡＭに格納されたスケジュール管理情報のデータ構成を示した図である。
【図６】本発明による第２の実施の形態の筐体を有する携帯端末の概要を説明する図である。
【図７】本発明による第３の実施の形態の筐体を有する携帯端末で、図１の外装用表示装置に表示する着信時外装設定画面の例を示した図である。
【図８】本発明による第３の実施の形態の筐体を有する携帯端末の概要を説明する図である。
【図９】本発明による実施の形態の筐体を有する携帯端末のハードウェア構成を示す図である。
【図１０】本発明による実施の形態の筐体を有する携帯端末の他のハードウェア構成を示す図である。
【図１１】本発明による実施の形態の筐体を有する携帯端末が保持するデータ管理情報リストの例を示した図である。
【図１２】本発明による実施の形態の筐体を有する携帯端末の外装設定登録処理を説明したフローチャートである。
【図１３】画像リストのデータ構成を示した図である。
【図１４】本発明による実施の形態の筐体を有する携帯端末の外装スケジュール設定登録処理を説明したフローチャートである。
【図１５】本発明による実施の形態の筐体を有する携帯端末の画像変更処理を説明したフローチャートである。
【図１６】本発明による実施の形態の筐体を有する携帯端末の着信画像表示処理を説明したフローチャートである。
【図１７】本発明による実施の形態の筐体を有する携帯端末の他の着信画像表示処理を説明したフローチャートである。
【符号の説明】
１００…携帯端末、１０１…ＣＰＵ、１０２…ＲＯＭ、１０３…ＲＡＭ、１０４…メイン表示装置、１０５…入力装置、１０６…外装用表示装置、１０７…保護カバー、２００…スケジュール管理情報、３００…データ管理情報リスト、５００…外装設定登録処理、６００…画像リスト、７００…外装スケジュール設定登録処理、８００…画像変更処理、９００−１，９００−２…着信画像表示処理。
【図１】
2004192497.tif 000003
【図２】
2004192497.tif 000004
【図３】
2004192497.tif 000005
【図４】
2004192497.tif 000006
【図５】
2004192497.tif 000007
【図６】
2004192497.tif 000008
【図７】
2004192497.tif 000009
【図８】
2004192497.tif 000010
【図９】
2004192497.tif 000011
【図１０】
2004192497.tif 000012
【図１１】
2004192497.tif 000013
【図１２】
2004192497.tif 000014
【図１３】
2004192497.tif 000015
【図１４】
2004192497.tif 000016
【図１５】
2004192497.tif 000017
【図１６】
2004192497.tif 000018
【図１７】
2004192497.tif 000019